(57)【要約】      （修正有）【課題】左右双方のカバーの内部にそれぞれ二つ以上のユニットが設置された選択式模擬音場イヤホンを提供する。【解決手段】左右のカバー１、２のそれぞれの内部に二つ以上のユニットが取り付けられている。さらに、コードの中間に電池コンポーネントを入れた模擬音場モジュールが取り付けられていて、モジュールの中には模擬音場セレクタ１２が設けられていて、被覆で模擬音場モジュールと模擬音場セレクタ１２が覆われている。模擬音場接続モジュール被覆４１３は、接続モジュールと模擬音場セレクタ１２が正常な範囲の外力に当たった場合でも、破壊しないためで、色々な方法で作られる。【選択図】図３
0003181495.tif 000002
【実用新案登録請求の範囲】
【請求項１】
本実用新案の選択式模擬音場イヤホンは、具体的には左右のカバーのそれぞれ内部に二つ以上のユニットが取り付けられている。
【請求項２】
本実用新案の選択式模擬音場イヤホンは、コードの中間に電池コンポーネント模擬音場の接続モジュールが取り付けられて、モジュールの中には模擬音場セレクタが取り付けられて、被覆で覆われている。接続モジュールは、旧型の接続方式を含めて、その回路設計では教会堂やダンスホール等二つ以上の音場を再現して聴く事が出来て、それに模擬音場セレクタにより模擬音場の音場を色々と選択する事が出来る。
【請求項３】
図２のように本実用新案の選択式模擬音場イヤホンを簡素化して、接続セレクタにする事も出来る。電池コンポーネントを取り付けないで、セレクタを普通のPC基板に付けて、中にコイルやコンデンサや抵抗を入れて回路を構成すれば、周波数特性を調整する事が出来る。その効果は一般的な旧型のコード付けのステレオ音場の上に、第２種類の模擬音場の音場を選択する事も出来る。
【請求項４】
図４のように本実用新型模擬音場イヤホンを簡素化して、左右のカバーの内部に二つ以上のユニットを取り付ける事も出来る。コードをユニットにはんだ付けして、もう一方の端はプラグにはんだ付けする。中にコイルやコンデンサや抵抗を入れて回路を構成すれば、周波数特性を調整する事が出来る。また色々な方法を用いてプラグの被覆を覆って、はんだ付ける箇所を保護するとシンプルな模擬音場の音場を形成する事が出来る。
【請求項５】
モジュールやモジュールは取り付けてもしなくても、コードの芯線や材質、或いは本数や色を変更してもしなくても、またはんだ付けするプラグを変更してもしなくても本実用新案の選択式模擬音場イヤホンの発明に影響しない。
【考案の詳細な説明】
【技術分野】
【０００１】
本考案はイヤホンの構造に関するものであり、具体的には左右双方のカバーの内部に、それぞれ二つ以上のユニットが取り付けられているものである。
【背景技術】
【０００２】
本考案の選択式模擬音場イヤホンは、電池コンポーネント模擬音場の接続モジュールを取り付ける事が出来る。一般的なステレオによる音場に対して、接続されているセレクタを選択する事により、他の模擬音場を再現して聴く事が出来る。模擬音場のセレクタは、教会堂やダンスホール等、二つ以上の模擬音場を選択出来る様に設計する事が出来る。もちろん、今までのイヤホンでは、このような構造は有していない。
【考案の概要】
【考案が解決しようとする課題】
【０００３】
旧型の一般的なステレオイヤホンは、左右それぞれのカバーの中に一つのユニットがあって、基本的に左耳に左カバーを掛けて、右耳に右カバーを掛ける方式である。イヤホンには、電気信号が繋がって、左側のユニットの＋側はプラグの左コネクター部に接続され、右側のユニットの＋はプラグの右コネクター部に接続され、アースは共用している。旧型の一般的なステレオイヤホンは、カバーにユニットが一つだけ取り付けられているので、異なる場所で録音された音を聴くと実際の現実音とは掛け離れ臨場感が無く、実際に録音された音を再現する事が出来ない。
【課題を解決するための手段】
【０００４】
左右双方のカバーの内部に、それぞれ二つ以上のユニットが取り付けられている。コードの中間に電池コンポーネントと接続モジュールが取り付けられていて、接続モジュールの中には模擬音場セレクタが取り付けられて、被覆で覆われている。接続モジュールの設計では、教会堂やダンスホール等二つ以上の模擬音場を模擬音場セレクタで選択して聴く事が出来る。
【０００５】
本考案の選択式模擬音場イヤホンを簡素化して、接続セレクタだけにする事も出来る。即ち、電池コンポーネントを取り付けないで、模擬音場セレクタを普通のPC基板にコイルやコンデンサや抵抗で回路を構成して設ければ、周波数特性を調整する事が出来る。その効果は一般的な旧型のコード付けイヤホンのステレオ音場の上に、第２種類の模擬音場の音場を選択する事も出来る。
【０００６】
またもっと簡素化して、左右双方のカバーにそれぞれ二つ以上のユニットを取り付ける事も出来る。コードにユニットをはんだ付けして、もう一方の端はプラグが接続されている。その中にコイルやコンデンサや抵抗を入れて回路を構成すれば、周波数特性を調整する事が出来る。その場合は、色々な方法でプラグ部を被覆で覆って、はんだ箇所を保護する事によって、非常にシンプルな模擬音場の音場が形成出来た。
【０００７】
音場コレクターや音場コレクター被覆は取り付けても取り付けなくても、コード芯線の材質や本数や色を変更してもしなくても、それに、はんだ付けするプラグを変更してもしなくても本考案の選択式模擬音場イヤホンの発明に対して影響しない。
【０００８】
すなわち、本考案の選択式模擬音場イヤホンは、選択式模擬音場イヤホンであって、左右のカバーのそれぞれ内部に二つ以上のユニットが取り付けられている。
また、前記選択式模擬音場イヤホンにおいて、電池コンポーネント模擬音場の接続モジュールがコードの中間に取り付けられて、モジュールの中には模擬音場セレクタが取り付けられて、被覆で覆われており、前記接続モジュールは、模擬音場セレクタにより模擬音場の音場を色々と選択する事が出来るよう構成することができる。
また、前記選択式模擬音場イヤホンにおいて、該選択式模擬音場イヤホンを接続セレクタ式にしてもよい。
また、前記選択式模擬音場イヤホンにおいて、左右のカバーの内部に二つ以上のユニットを取り付けてもよい。
また、前記選択式模擬音場イヤホンにおいて、モジュールの有無、コードの芯線や材質、或いは本数や色、はんだ付けするプラグを変更自在に構成してもよい。
【考案の効果】
【０００９】
本考案の選択式模擬音場イヤホンは、左右双方のカバーの内部に、それぞれ二つ以上のユニットが取り付けられている。
イヤホンのコードの中間に、電池コンポーネントを入れた模擬音場用の接続モジュールが取り付けられている。
電池コンポーネントを入れない接続セレクタにする事も可能である。
旧型の一般的なイヤホンのセレクタモジュールの代わりに、当新案の模擬音場セレクタの設計では、教会堂やダンスホール等、二つ以上の模擬音場の再生を選択する事が出来る。プラグの部分にコイルやコンデンサや抵抗で構成した回路を入れれば、周波数特性を調整する事が可能なシンプルな模擬音場を再生する事が出来る。
【図面の簡単な説明】
【００１０】
【図１】旧型構造の接続図。
【図２】本実用新型の模擬音場イヤホンの接続モジュール図。
【図３】本実用新型の電池コンポーネントを入れた模擬音場イヤホンの接続図。
【図４】本実用新型のシンプルな模擬音場イヤホンの接続図。
【考案を実施するための形態】
【００１１】
以下、本考案の実施の形態を、図に基づいて説明する。
【実施例】
【００１２】
図３のように本考案の選択式模擬音場イヤホンが、具体的には左右のカバーのそれぞれの内部に二つ以上のユニットが取り付けられている。本考案の選択式模擬音場イヤホンはコードの中間に電池コンポーネントを入れた模擬音場モジュールが取り付けられていて、モジュールの中には模擬音場セレクタが設けられていて、被覆で模擬音場モジュールと模擬音場セレクタが覆われている。模擬音場接続モジュール被覆は、接続モジュールと模擬音場セレクタが正常な範囲の外力に当たった場合でも、破壊しないためで、色々な方法で作られる。
【００１３】
イヤホンコードの一方の端にあるコードは、四極プラグとはんだ付けされていて、色々な方法でプラグを被覆で覆って、はんだ付け部を保護する。イヤホンコードのもう一方の端は左右のカバーの中に挿入されて、ユニットとはんだで接続される。イヤホンコードのどんな線間でも音場コレクターと音場コレクター被覆を取り付ける事が出来る。取り付けなくとも本考案の選択式模擬音場イヤホンの発明には影響しない。
【００１４】
電池コンポーネントを入れた模擬音場モジュールは、旧型接続方式を含めて、電池コンポーネントを入れた模擬音場モジュールの設計では、教会堂やダンスホール等二つ以上の音場を選択して聴く事が出来て、模擬音場セレクタで模擬音場の音場を選ぶ事が出来る。
【００１５】
図２のように本考案の選択式模擬音場イヤホンを簡素化にして、接続セレクタにする事が出来て、電池コンポーネントを入れないで、セレクタを一般的なPC基板に取り付けて、電子部品であるコイルやコンデンサや抵抗を入れて回路を構成すれば、周波数特性を調整する事が出来る。また色々な方法を用いて接続セレクタ被覆を設けて、接続セレクタを保護する。
【００１６】
コードは三極プラグとはんだ付けされて、どんなコードの線でも、中間で別の用途のために、音場コレクターと音場コレクター被覆が取り付ける事が出来る。コードも別の用途のため、図２のように四極プラグを取り付けてもいいし、３芯のコードは図３のように４芯のコードに変更してもいいのである。
【００１７】
コレクターとコレクター被覆は取り付けなくても、コードの芯を変更してもしなくても、図３の四極プラグと取り付ける事も出来て、それにより本考案の選択性模擬音場接続セレクタの発明に対する効力には影響しないのである。本考案の選択性模擬音場イヤホンは、一般的な普通の旧型接続ステレオイヤホンの音場に対して、更に第２種類の模擬音場の音場を選択する事が出来る。
【００１８】
図４のように本考案の選択式模擬音場イヤホンを簡素化にして、左右のカバーのそれぞれ内部に二つ以上のユニットが取り付けられる。
コードをはんだ付けして、また色々な方法を用いてプラグ被覆を覆って、はんだ付けされた箇所を保護する。それのプラグ被覆の部分にコイルやコンデンサや抵抗などで回路を構成して、周波数特性が調整できるシンプルな模擬音場が出来る新型のイヤホンを実現したのである。
【符号の説明】
【００１９】
１  イヤホンの右カバー
２  イヤホンの左カバー
３  旧型のモジュール
３１１、３１２、３１３、３１４、３１５、３１６  イヤホンコード
３１７、３１８、３１９、３２０、３２１  イヤホンコード
４１１  旧型のモジュールの被覆
４１２  シンプルな接続セレクタの被覆
４１３  模擬音場接続モジュールの被覆
５  電池コンポーネントを入れた模擬音場の接続モジュール
５０１  三極プラグ
５０２  四極プラグ
６、７、８、９、１０、１１、ユニット
１２  模擬音場セレクタ
１３  声音コレクター
１４  声音コレクター被覆
１５  接続セレクター
１６  プラグの被覆
【図１】
0003181495.tif 000003
【図２】
0003181495.tif 000004
【図３】
0003181495.tif 000005
【図４】
0003181495.tif 000006
【手続補正書】
【提出日】平成24年12月3日(2012.12.3)
【手続補正１】
【補正対象書類名】実用新案登録請求の範囲
【補正対象項目名】全文
【補正方法】変更
【補正の内容】
【実用新案登録請求の範囲】
【請求項１】
複数のユニットと、プラグと、これらを接続するコードと、からなる選択式模擬音場イヤホンであって、
前記複数のユニットは、それぞれ音場の異なる音声出力装置であり、
使用者の左耳にかける左カバーと、使用者の右耳にかける右カバーと、を有し、
前記左カバーと前記右カバーの内部にそれぞれ二つ以上の前記ユニットを取り付けることを特徴とする、
選択式模擬音場イヤホン。
【請求項２】
前記コードの中間には接続モジュールを有し、前記接続モジュールは電池コンポーネントと、疑似音場セレクタとからなり、前記音場セレクタは被覆で覆い、前記疑似音場セレクタによって疑似音場の音場を選択することで、二つ以上の音場を再現して聴く事ができることを特徴とする、請求項１に記載の選択式模擬音場イヤホン。
【請求項３】
前記コードには、模擬音場の周波数特性を調整する事ができる接続セレクタを接続することを特徴とする、請求項１に記載の選択式模擬音場イヤホン。
【請求項４】
前記プラグは被覆で覆い、前記プラグは内部に模擬音場の周波数特性を調整する事ができる電子回路を有することを特徴とする、請求項１に記載の選択式模擬音場イヤホン。